(57)【要約】【課題】  湿気の溜まりやすい地下室のコーナー部において十分な空気流通量を確保することのできる地下室通気システム及び地下室を有する建築物を提供する。【解決手段】  地下室を構成するコンクリート構造壁部１２、１４、１６、１８とその内側に配された内壁部１２Ｂ、１４Ｂ、１６Ｂ、１８Ｂの間の空間３６Ａ（コンクリート構造壁部の内側に断熱材１２Ａ、１４Ａ、１６Ａ、１８Ａが設けられている場合は、断熱材とその内側に配された内壁部の間の空間）を介して複数のダクト２２、２４、２６、２８を用いて外部に排気する地下室通気システムにおいて、複数のダクトの吸入開口部を地下室１０のコーナー部Ａ、Ｂ、Ｃ、Ｄに配した。【選択図】  図１
2006169790.tif 000002
【特許請求の範囲】
【請求項１】
地下室を有する建築物の前記地下室通気システムであって、前記地下室を構成し、かつ前記地下室の外部の土からの圧力に抗する構造壁部と前記構造壁部の内側に配された内壁部の間の空間を介して複数のダクトを用いて外部に排気する地下室通気システムにおいて、
前記複数のダクトの吸入開口部が前記地下室のコーナー部に配されていることを特徴とする地下室通気システム。
【請求項２】
地下室を有する建築物の前記地下室通気システムであって、前記地下室を構成し、かつ前記地下室の外部の土からの圧力に抗する構造壁部と前記構造壁部の内側に配された断熱材と、前記断熱材と前記断熱材の内側に配された内壁部の間の空間を介して複数のダクトを用いて外部に排気する地下室通気システムにおいて、
前記複数のダクトの吸入開口部が前記地下室のコーナー部に配されていることを特徴とする地下室通気システム。
【請求項３】
前記内壁部の下部に配される巾木を前記地下室の床部から離間して配し、前記巾木と前記床部の間の空間を介して、前記地下室内部の空気が前記空間に流入するよう構成されたことを特徴とする請求項１又は２に記載の地下室通気システム。
【請求項４】
前記複数のダクトが接続され、前記複数のダクトを介した空気を吸引して１以上の外部吹出し口に吹き出す集中換気扇を有することを特徴とする請求項１から３のいずれか１つに記載の地下室通気システム。
【請求項５】
前記地下室が方形であって、４つのコーナー部を有するときは、前記ダクトが少なくとも４つ設けられ、少なくとも前記４つのコーナー部のそれぞれに対して前記ダクトの吸入開口部が配されていることを特徴とする請求項１から４のいずれか１つに記載の地下室通気システム。
【請求項６】
前記コーナー部が入隅と出隅を有しているときは、前記入隅のみに前記ダクトの吸入開口部が配されていることを特徴とする請求項１から４のいずれか１つに記載の地下室通気システム。
【請求項７】
地下室を有する建築物であって、前記地下室を構成し、かつ前記地下室の外部の土からの圧力に抗する構造壁部と前記構造壁部に囲まれた床部を有する構造体と、前記床部上に配された内装床部と、前記構造壁部と前記構造壁部の内側に前記構造壁部から所定間隔をもって配された内壁部と、前記構造壁部と前記内壁部の上端の間の空間の開口部の近傍に吸入開口部が配されたダクトと、前記ダクトが連結された送風機とを有する建築物において、
前記複数のダクトの前記吸入開口部が前記構造体のコーナー部に配されていることを特徴とする建築物。
【請求項８】
地下室を有する建築物であって、前記地下室を構成し、かつ前記地下室の外部の土からの圧力に抗する構造壁部と前記構造壁部に囲まれた床部を有する構造体と、前記床部上に配された内装床部と、前記構造壁部と前記構造壁部の内側に配された断熱材と、前記断熱材の内側に前記断熱材から所定間隔をもって配された内壁部と、前記断熱材と前記内壁部の上端の間の空間の開口部の近傍に吸入開口部が配されたダクトと、前記ダクトが連結された送風機とを有する建築物において、
前記複数のダクトの前記吸入開口部が前記構造体のコーナー部に配されていることを特徴とする建築物。
【請求項９】
前記内壁部の下部に配される巾木を前記地下室の床部から離間して配し、前記巾木と前記床部の間の空間を介して、前記地下室内部の空気が前記空間に流入するよう構成されたことを特徴とする請求項７又は８に記載の建築物。
【請求項１０】
前記送風機として前記複数のダクトが接続され、前記複数のダクトを介した空気を吸引して１以上の外部吹出し口に吹き出す集中換気扇を有することを特徴とする請求項７から９のいずれか１つに記載の建築物。
【請求項１１】
前記地下室が方形であって、４つのコーナー部を有するときは、前記ダクトが少なくとも４つ設けられ、少なくとも前記４つのコーナー部のそれぞれに対して前記ダクトの吸入開口部が配されていることを特徴とする請求項７から１０のいずれか１つに記載の建築物。
【請求項１２】
前記コーナー部が入隅と出隅を有しているときは、前記入隅のみに前記ダクトの吸入開口部が配されていることを特徴とする請求項７から１０のいずれか１つに記載の建築物。
【請求項１３】
前記床部と前記内装床部の間に、床暖房用の温水配管を配したことを特徴とする請求項７から１２のいずれか１つに記載の建築物。
【発明の詳細な説明】
【技術分野】
【０００１】
本発明は建築物の通気システムに関し、特に地下室通気システム及び地下室を有する建築物に関する。
【背景技術】
【０００２】
建築物の通気システムとして種々の方式が実用化されている。特に住宅用建築物においては、近年、地下室が普及していることから、地下室の通気が重要視されている。すなわち、地下室は、一般に周辺の土部からの湿気が進入しやすいので、地下室内部や、構造壁を構成する鉄筋コンクリートの表面近傍の空気の湿度を所定値以下に保ち、かつ湿気による結露やカビなどの発生を防止するために、構造壁とその内側に配された内壁部の間の空間（構造壁の内側に断熱材が配されているときは、断熱材とその内側に配された内壁部の間の空間）を介して空気を外部に排出する必要がある。
【０００３】
下記の特許文献１に記載の構成によれば、構造壁の内側に配される内装材の一部を通気板として用いている。特許文献１には明示されていないものの、構造壁とその内側の内装材の間の空間を通気空間として用いることは、従来から行われており、地下室の天井部にダクトを配して、上記通気空間の上部開口部から空気を吸引して空気を建築物の外部に排出するよう構成されるのが一般的である。
【特許文献１】特開平６−２５７１７１号公報（要約書、図２）
【発明の開示】
【発明が解決しようとする課題】
【０００４】
しかし、従来の地下通気システムでは、地下室の外部の土からの圧力に抗する構造壁部、あるいはその内側に配された断熱材と、その内側に配された内壁部の間の空間を介して空気を外部に排出するに際し、ダクトの吸入開口部を各壁面の中央部付近に配しているため、コーナー部近傍での空気の流通量が少ない。したがって、コーナー部の湿度が相対的に高くなり、コーナー部における結露やカビの発生などが問題となっていた。
本発明は、かかる従来の課題を解決し、湿気の溜まりやすい地下室のコーナー部において十分な空気流通量を確保することのできる地下室通気システム及び地下室を有する建築物を提供することを目的とする。
【課題を解決するための手段】
【０００５】
本発明の地下室通気システムは、上記課題を解決するために地下室を構成し、かつ前記地下室の外部の土からの圧力に抗する構造壁部と前記構造壁部の内側に配された内壁部の間の空間を介して複数のダクトを用いて外部に排気する地下室通気システムにおいて、
前記複数のダクトの吸入開口部が前記地下室のコーナー部に配されていることを特徴とするものである。
【０００６】
また本発明によれば、地下室を有する建築物の前記地下室通気システムであって、前記地下室を構成し、かつ前記地下室の外部の土からの圧力に抗する構造壁部と前記構造壁部の内側に配された断熱材と、前記断熱材と前記断熱材の内側に配された内壁部の間の空間を介して複数のダクトを用いて外部に排気する地下室通気システムにおいて、
前記複数のダクトの吸入開口部が前記地下室のコーナー部に配されていることを特徴とする地下室通気システムが提供される。
【０００７】
さらに本発明によれば、地下室を有する建築物であって、前記地下室を構成し、かつ前記地下室の外部の土からの圧力に抗する構造壁部と前記構造壁部に囲まれた床部を有する構造体と、前記床部上に配された内装床部と、前記構造壁部と前記構造壁部の内側に前記構造壁部から所定間隔をもって配された内壁部と、前記構造壁部と前記内壁部の上端の間の空間の開口部の近傍に吸入開口部が配されたダクトと、前記ダクトが連結された送風機とを有する建築物において、
前記複数のダクトの前記吸入開口部が前記構造体のコーナー部に配されていることを特徴とする建築物が提供される。
【０００８】
さらに本発明によれば、地下室を有する建築物であって、前記地下室を構成し、かつ前記地下室の外部の土からの圧力に抗する構造壁部と前記構造壁部に囲まれた床部を有する構造体と、前記床部上に配された内装床部と、前記構造壁部と前記構造壁部の内側に配された断熱材と、前記断熱材の内側に前記断熱材から所定間隔をもって配された内壁部と、前記断熱材と前記内壁部の上端の間の空間の開口部の近傍に吸入開口部が配されたダクトと、前記ダクトが連結された送風機とを有する建築物において、
前記複数のダクトの前記吸入開口部が前記構造体のコーナー部に配されていることを特徴とする建築物が提供される。
【０００９】
上記各発明において、前記内壁部の下部に配される巾木を前記地下室の床部から離間して配し、前記巾木と前記床部の間の空間を介して、前記地下室内部の空気が前記空間に流入するよう構成することは本発明の好ましい態様である。
【００１０】
上記各発明において、前記送風機として前記複数のダクトが接続され、前記複数のダクトを介した空気を吸引して１以上の外部吹出し口に吹き出す集中換気扇を有することは本発明の好ましい態様である。
【００１１】
上記各発明において、前記地下室が方形であって、４つのコーナー部を有するときは、前記ダクトが少なくとも４つ設けられ、少なくとも前記４つのコーナー部のそれぞれに対して前記ダクトの吸入開口部が配されていることは本発明の好ましい態様である。
【００１２】
上記各発明において、前記コーナー部が入隅と出隅を有しているときは、前記入隅のみに前記ダクトの吸入開口部が配されていることは本発明の好ましい態様である。
【発明の効果】
【００１３】
上記構成により、地下室のコーナー部での通気が十分になされるので、コーナー部及び隣接コーナー部間の壁部での湿気による結露やカビの発生などの不具合を効果的に防止することができる。また、本発明によれば、上記効果に加えて、地下室内部の空気を地下室の内装壁の外側の空気通路（壁面通気層）を介して外部に排出するので、地下室内部の換気を効果的に行うことができ、湿気、悪臭の防止に役立つ。さらに、巾木を内装床部より上方に所定距離だけ移動した位置に取り付けることにより、巾木の下方が空気流入口となり、地下室の内装床部の上によどみがちな空気を効果的に外部に排出することができ、よって地下室内の内装床部の近くを含めて地下室全体に新鮮な外部空気を導入することが可能となる。なお、本発明に床暖房を併用すると、床近傍で暖められ、乾燥した空気が上昇し易くなるので、内装壁部の外部の空間（壁面通気層）を通路として効果的に通気することが可能となる。
【発明を実施するための最良の形態】
【００１４】
以下、本発明を実施するための最良の形態について、図１から図３を用いて説明する。
【００１５】
図１は、本発明の地下室通気システム及び同システムを適用した建築物中の地下室の好ましい実施の形態を模式的に示す平面断面図、図２は、図１中の一部を拡大して詳細に示す部分平面断面図、図３は、図２に示す実施の形態の１つのコーナー部における換気のための構成を示す部分立面断面（図２中の線ＩＩＩ−ＩＩＩでの断面）図である。
【００１６】
図１〜図３を参照して本発明の好ましい実施の形態を説明すると、住宅などの建築物の地下室１０が、少なくとも４つの鉄筋コンクリート製の構造壁部１２、１４、１６、１８と、これらにより囲まれた鉄筋コンクリート製の構造体床部４０により構成されているものとする。これらのコンクリート構造壁部１２、１４、１６、１８は図３に一部を示す周囲の土の圧力に抗する構造壁（耐力壁）を構成している。コンクリート構造壁部１２、１４、１６、１８の内側には、断熱材１２Ａ、１４Ａ、１６Ａ、１８Ａが配されている。断熱材１２Ａ、１４Ａ、１６Ａ、１８Ａは、発泡スチロール、発泡スチレン、発泡ウレタンなどの発泡合成樹脂製の部材を用いることができるが、その他の材料も使用可能である。断熱材１２Ａ、１４Ａ、１６Ａ、１８Ａからわずかな所定間隔（例えば３０ｍｍ）をおいて内壁部１２Ｂ、１４Ｂ、１６Ｂ、１８Ｂがそれぞれ各コンクリート構造壁部１２、１４、１６、１８及び断熱材１２Ａ、１４Ａ、１６Ａ、１８Ａに対応して設けられている。内壁部１２Ｂ、１４Ｂ、１６Ｂ、１８Ｂは合板や、石膏ボードなどにより構成することができる。図１、図２では、内壁部１２Ｂ、１４Ｂ、１６Ｂ、１８Ｂは便宜上、細い実線でのみ示されている。実際は図３に示すように所定の厚みを有している。
【００１７】
なお、内壁部１２Ｂ、１４Ｂ、１６Ｂ、１８Ｂにより画定される方形の空間の底部には、内装床部３４が、上部には天井部３２が設けられている。内装床部３４としては、フローリング、合板、畳などを用いることができる。各内壁部１２Ｂ、１４Ｂ、１６Ｂ、１８Ｂの下部、すなわち内装床部３４の近傍には、それぞれ巾木が設けられているが、図３では、内壁部１２Ｂの下方に配された巾木３６のみが示されている。図３に示すように巾木３６は、内装床部３４からわずかな間隔（本実施の形態では約２０ｍｍ）だけ離れた位置で、内壁部１２Ｂの下端に設けられている。なお図３中、構造体床部４０の上には、床部用断熱材４２が配され、その上には床部用合板４４が敷設されている。また、床部用合板４４の上には、複数の根太４６を介して内装床部３４が配されている。内装床部３４と床部用合板４４の間の空間には、床暖房用の温水配管４８が配されている。なお、蓄熱効果を持たせる必要がある場合は、温水配管４８の周囲を覆うよう乾燥砂を主成分とする蓄熱材を配することができる。
【００１８】
天井部３２の上、すなわち天井裏３８には、地下室１０の各コーナー部Ａ、Ｂ、Ｃ、Ｄに合わせて、それぞれダクト２２、２４、２６、２８の吸入口が設けられている。図２では、ダクト２２、２４とそれらの吸入口２２Ａ、２４Ａのみが示されている。図１に模式的に示されるように、各コーナー部Ａ、Ｂ、Ｃ、Ｄに、それぞれ対応して設けられたダクト２２、２４、２６、２８は、集中換気扇２０に接続され、図示省略のファンにより各ダクト２２、２４、２６、２８の内部の空気が吸引され、外部吹出しダクト３０を介して建築物の外部に排出される。
【００１９】
各ダクト２２、２４、２６、２８を介して空気が吸引されると、地下室の内装床部３４の上によどんでいる空気は、最寄りの巾木３６と内装床部３４の間の空間（図３では空間３６Ａ）から内壁部１２Ｂと対応する断熱材１２Ａの間の空間により形成されている壁面通気層として作用する空気通路（図３では、空気通路３６Ｂ）を通して天井裏３８内に開口する空気通路出口３２Ｃに導かれ、各コーナー部Ａ、Ｂ、Ｃ、Ｄに設けられているダクト２２、２４、２６、２８の吸入口（図３では吸入口２４Ａ）に流入し、各ダクト２２、２４、２６、２８を介して集中換気扇２０により吸引され、外部吹出しダクト３０を介して外部へ排出される。図１は、地下室が長方形である単純な形状の場合を示しているが、コーナー部として入隅のみならず出隅のある複雑な形状の場合には、入隅のみにダクトの吸入開口部を配すことができる。これは、出隅の場合は、入隅と比較して湿気が溜まりにくいからである。
【００２０】
本発明では、従来と異なり、各ダクト２２、２４、２６、２８の吸入口が地下室１０のコーナー部Ａ、Ｂ、Ｃ、Ｄに設けられ、かつ、内壁部１２Ｂ、１４Ｂ、１６Ｂ、１８Ｂの下部に設けられた巾木３６が内装床部３４から離間して設けられているので、地下室内部の空気、特に内装床部３４の上部によどみがちな空気が吸入口として機能する空間３６Ａから空気通路３６Ｂに流入して吸引される。よって、地下室１０の内部の空気が効果的に外部に排出されるとともに、コーナー部での空気通路３６Ｂを通過する空気量が相対的に大きく、コンクリート構造壁部１２の内側での結露やカビの発生を効果的に防止することができる。また、巾木３６を内壁部１２Ｂに取り付ける際に、内装床部３４から離して配することにより、巾木３６と内装床部３４の間の空間から空気が内壁部１２Ｂの外部の空気流路に流れるので、地下室内の空気、特に床上によどみがちな空気を効果的に外部に排出することができるので効率のよい換気が可能となる。さらに、床暖房を併用すると、暖められ、乾燥した空気が上昇し易くなるので、内壁部１２Ｂの外部の空間を通路として効果的に通気することが可能となり、また乾燥した空気による構造壁の乾燥効果も高まる。
【００２１】
上記実施の形態では、コンクリート構造壁部１２、１４、１６、１８の内側にのみ断熱材１２Ａ、１４Ａ、１６Ａ、１８Ａを配している（内断熱構造）が、断熱材をコンクリート構造壁部１２、１４、１６、１８の外側にのみ設ける（外断熱構造）ことにより、内側の断熱材１２Ａ、１４Ａ、１６Ａ、１８Ａを割愛することもできる。この場合、空気通路は、コンクリート構造壁部１２、１４、１６、１８と内壁部１２Ｂ、１４Ｂ、１６Ｂ、１８Ｂの間に形成される。また、内断熱構造と外断熱構造を組み合わせて、コンクリート構造壁部１２、１４、１６、１８の内外に断熱材を設けることもできる。
【００２２】
上記の実施の形態では、ダクト２２、２４、２６、２８の吸入開口部が地下室１０のコーナー部Ａ、Ｂ、Ｃ、Ｄに配されているが、天井裏３８の構造によっては、ダクト２２、２４、２６、２８の吸入開口部へより効果的に空気を導くために、天井裏３８において、各コーナー部Ａ、Ｂ、Ｃ、Ｄの空気通路出口３２Ｃを包み込み空気をダクト２２、２４、２６、２８の開口部に導く空気ガイドを設けることもできる。この場合、空気ガイドの設けられてない空気通路出口３２Ｃ、すなわち、各コーナー部Ａ、Ｂ、Ｃ、Ｄ以外の位置の空気通路出口３２Ｃを閉じるカバー部を設けることもできる。かかる構成とすると、天井裏３８の高さが高い場合や、天井部３２に室内と連通する貫通孔がある場合などであっても、空気通路出口３２Ｃの空気を効率的にダクト２２、２４、２６、２８の開口部に導くことができ、排気効率を向上させることができる。
【産業上の利用可能性】
【００２３】
本発明の地下室通気システム及び地下室を有する建築物は、上記のように、内壁部の外部において通気を行うので、地下室の各コーナー部での空気流量が相対的に大きくなり、したがって、従来、コーナー部で生じやすかった結露やカビの発生を効果的に抑制することができるので、建築産業において極めて有用である。
【図面の簡単な説明】
【００２４】
【図１】本発明の地下室通気システム及び同システムを適用した建築物中の地下室の好ましい実施の形態を模式的に示す平面断面図である。
【図２】図１中の一部を拡大して詳細に示す部分平面断面図である。
【図３】図２に示す実施の形態の１つのコーナー部における換気のための構成を示す部分立面断面（図２中の線ＩＩＩ−ＩＩＩでの断面）図である。
【符号の説明】
【００２５】
１０  地下室
１２、１４、１６、１８  コンクリート構造壁部
１２Ａ、１４Ａ、１６Ａ、１８Ａ  断熱材
１２Ｂ、１４Ｂ、１６Ｂ、１８Ｂ  内壁部
２０  集中換気扇
２２、２４、２６、２８  ダクト
２２Ａ、２４Ａ  吸入口
３０  外部吹出しダクト
３２  天井部
３２Ｃ  空気通路出口
３４  内装床部
３６  巾木
３６Ａ  空間
３６Ｂ  空気通路（壁面通気層）
３８  天井裏
４０  構造体床部
４２  床部用断熱材
４４  床部用合板
４６  根太
４８  温水配管
Ａ、Ｂ、Ｃ、Ｄ  コーナー部
【図１】
2006169790.tif 000003
【図２】
2006169790.tif 000004
【図３】
2006169790.tif 000005